(57)【要約】      （修正有）【課題】液体を収容するのに適しているだけでなく容器内部に装飾体が配置され、装飾体は容器内部の液体内に配置された液体分配装置の提供。【解決手段】容器２と、容器２内の液体内に配置されることを目的とした装飾体５とを備え、装飾体５は、光放出手段と、前記光放出手段を駆動するための駆動手段とを含む。液体分配装置１は、さらに、外形的に容器２が改良され光放出手段の駆動を制御するためのＬＣＲ回路と共に構成され協働する受動ラベルを含む。【選択図】図１
2013066703.tif 000002
【特許請求の範囲】
【請求項１】
液体分配装置（１）であって、
液体を収容するのに適し、耐水性を有する容器（２）を備え、
さらに、
前記容器（２）の内部に配置され、液体内に配置される装飾体（５）を備え、
前記装飾体（５）は、光放出手段（１３）と、前記光放出手段（１３）を駆動するための駆動手段（１４）とを含み、
前記駆動手段（１４）は、前記液体分配装置（１）の動作を検出する動作検出器（１４Ａ）を備え、
前記装飾体（５）は、前記駆動手段（１４）の操作を防止するためのエネルギー保存手段（２１）を備え、
前記エネルギー保存手段（２１）は、ＬＣＲ回路（２２）を含み、
前記液体分配装置は、さらに、外形的に前記容器（２）が改良され、前記光放出手段（１３）の動作を制御するための前記ＬＣＲ回路（２２）と共に構成され協働する受動ラベル（２３）をさらに含み、
前記受動ラベルは、鉄のリボンまたはＲＦタグで構成され、前記受動ラベル（２３）の存在を検出するために適合された前記ＬＣＲ回路（２２）とである
ことを特徴とする液体分配装置（１）。
【請求項２】
前記動作検出器（１４Ａ）は、
主要部（１５Ａ）と、
バネ（１６）と、
前記主要部（１５Ａ）及び前記バネ（１６）を囲む環状コンタクト（１７）とを備える
請求項１に記載の液体分配装置（１）。
【請求項３】
前記駆動手段（１４）は、前記光放出手段（１３）の駆動を制御するコントローラ（１９）をさらに備える
請求項１または２に記載の液体分配装置（１）。
【請求項４】
前記光放出手段（１３）は、白色光放出ダイオードである
請求項１〜３のいずれか１項に記載の液体分配装置（１）。
【請求項５】
スプレーキャップ（５ａ）と、
前記液体分配装置の意図しない駆動を防止するために、前記スプレーキャップ（５ａ）を覆うように改良された保護キャップ（４ａ）とをさらに備える
請求項１〜４のいずれか１項に記載の液体分配装置（１）。
【請求項６】
保護キャップ（４ａ）に固定され、ＬＣＲ回路（２２）と協働する受動ラベル（２３）をさらに備える
請求項５に記載の液体分配装置（１）。
【請求項７】
前記装飾体（５）は、半透明である
請求項１〜６のいずれか１項に記載の液体分配装置（１）。
【請求項８】
前記液体は香水である
請求項１〜７のいずれか１項に記載の液体分配装置（１）。
【発明の詳細な説明】
【技術分野】
【０００１】
本発明は、例えば香水ディスペンサー等の液体分配装置に関し、特に、液体を収容するのに適しているだけでなく容器内部に装飾体が配置され、装飾体は容器内部の液体内に配置されることを目的としている。
【０００２】
既知の液体分配装置では、香水の収容された容器内に装飾体を有するものがある。装飾体は、内部チューブに固定されてもよく、自らは発光しない真珠状の本体であってもよい。真珠状の本体を見せるためには、本体又はボトルの外へ液体を流出するボトル内のチューブを光で照射することが必要である。例えば、米国特許第７，２５８，４５８号明細書、米国特許第６，５８８，４３５号明細書、米国特許出願公開第２００７／０００７３０４号明細書を参照する。
【０００３】
他の既知の液体分配装置としては、例えば、米国特許出願公開第２００１／００３２６５５号明細書を参照すると、キャップを有する容器が記載されている。キャップは、娯楽器具が配置された凹部を有する。娯楽器具は、接触することにより作用するライトパッケージ、及び／又は、サウンドパッケージを含んでもよい。ユーザがキャップ上のエレメントを押すと、タッチスイッチが有効になりライトパッケージがライトアップされ、及び／又は、サウンドパッケージが音又はノイズを発生する。さらに、キャップは、キャップ内に１又は複数の液体を含んでいてもよく、その液体は好ましくは互いに混合しにくいものである。
【０００４】
ボトルの内側かつ液体分配装置の液体内において、装飾体を照らし美的装飾効果を与える照明は、例えば、水中ライトにより照射されるスイミングプールまたは噴水と同様のものである。
【発明の概要】
【０００５】
しかし、このような照明は、電源回路、電極及び電気制御回路などの電気回路を有する外部照明手段を必要とする。このような外部電気回路は、接触のリスク又は照明手段の故障の結果ダメージを受けた他の電気回路要素に起因する課題を有する。
【０００６】
本発明は、装飾体を照射する内部電気回路を含む液体分配装置の装飾体において、この課題が解決されることを目的とする。さらに、内部電気回路は、液体分配装置の動作を検出するための動作検出手段を備える。さらに、受動的なラベルが設けられてもよい。
【０００７】
この液体分配装置は、煩雑な外部手段を接続することなく、液体分配装置が香水ユーザに使用されるときに、単純な方法で美的装飾効果を生ずることができる。
【図面の簡単な説明】
【０００８】
【図１】図１は、本発明に係る液体分配装置の正面図である。
【図２】図２は、本発明の液体分配装置の容器の内部に設けられた、本発明の第１の実施の形態に係る装飾体の概略図である。
【図３】図３は、図２に示されたのと同様の装飾体に、さらに、光照射手段の駆動を制御するためのコントローラを含む、本発明の第２の実施の形態に係る装飾体の概略図である。
【図４】図４は、図３に示されたのと同様の装飾体に、さらに、光照射手段の駆動を制御するためのコントローラの操作を防止するためのエネルギー制御手段を含む、本発明の第３の実施の形態に係る装飾体の概略図である。
【発明を実施するための形態】
【０００９】
本発明の他の詳細及び変形例は従属請求項に明示される。
【００１０】
本発明の他の態様は、液体分配装置及び受動ラベルで構成されているパッケージングに関する。
【００１１】
本発明は、可能な実施の形態により示される以下の詳細な説明及び添付図面の記載により、より理解することができる。
【００１２】
図１に、本発明に係る液体分配装置１を示す。液体分配装置１は、例えば、香水等の化粧品液体である液体３を保持するのに適した容器２を備える。容器２は、例えば、ガラス又はプラスチックにより形成することができる。
【００１３】
液体分配容器は、さらに、拡散ポンプ４と、装飾体５とを備える。拡散ポンプ４は、容器２に固定され、液体３を気化及び拡散するための動作をすることができるスプレーキャップ５Ａを含む。容器２は、拡散ポンプ４により密封されている。
【００１４】
保護キャップ４ａは、液体ディスペンサーの意図しない駆動を防止するために、スプレーキャップ５Ａに設けられていてもよい。
【００１５】
装飾体５は、容器２の内側で、液体３の中に配置されている。装飾体５は、例えば、ガラス又はプラスチック等の半透明又は透明な材料で形成され、液体３が装飾体５の内部に浸透することができない耐水性を有する。装飾体５は、電子回路６が配置される領域が決定されている内部チャンバーを備える（図２）。
【００１６】
図２に示されるように、本発明の第１の実施の形態において、装飾体５は、例えば、装飾体５の外部表面と同じような色で超音波接合、接着剤による接着又はセメントによる接着により互いに固定された第１の部分７と第２の部分８とを備える。
【００１７】
第１の部分７及び第２の部分８は、装飾体５を完全な形状としたときに、互いに半分の形状を有している。例えば、第１の部分７と第２の部分８を固定したときに装飾体５が完全な球形状であるとすると、第１の部分７と第２の部分８は、互いに完全な半球形状を有している。装飾体の直径は、例えば１５ｍｍであってもよい。
【００１８】
超音波接合、接着剤による接着又はセメントによる接着が装飾体５の耐水性を備えるために使われるとき、シール９は、任意で第１の部分７と第２の部分８の間の周方向の接合部分に追加的に配置されることができる。シール９は、好ましくは、例えば、装飾体５の外装表面と同様の色のゴムストライプであってもよい。
【００１９】
電子回路６は、支持体１０と部品１２とを備えている。支持体１０は、装飾体５の内側の電子回路６を固定するため、装飾体５の内径と実質的に同程度の長さを有する回路基板である。
【００２０】
任意で、電子回路６はさらに止め具１１を有してもよい。各止め具１１はゴムで構成されＵ字状の形状を有している。すなわち、止め具１１は、ベース部分に対して相互に連結された２つの細長い足を備えている。Ｕ字状の形状を有する止め具１１は、支持体１０の周辺端部に配置されている。支持体１０の周辺端部は、細長い足によって囲まれ、止め具１１のベース部分に隣接している。止め具１１は、さらに、電子回路６が装飾体５の内部に固定されるように保持されている。
【００２１】
第２のオプションとして、部品１２は、さらに装飾体５の内径と一体として直接固定されていてもよい。
【００２２】
電子回路６の部品１２は、光放出手段１３と、光放出手段１３を駆動する駆動手段１４とを備えている。光放出手段１３は、エミッティングダイオードであってもよい。
【００２３】
本実施の形態に係る駆動手段１４は、図２に示されるように、動作検出器１４Ａと、光放出手段１３に電流を供給する電池１５とを含む。
【００２４】
電池１５は、装飾体５の内側に配置され、液体分配装置で通常使用する溶液体積を放出できる十分なエネルギーを有する。例えば、液体分配装置の溶液体積は１００ｍｌであってもよい。
【００２５】
動作検出器１４Ａは、金属製の主要部１５Ａと、バネ１６と金属製の環状コンタクト１７とを備えている機械的動作検出器である。主要部１５Ａは、バネ１６の一端にマウントされ、バネ１６の他端は支持体１０に固定されている。
【００２６】
バネ１６と主要部１５Ａとは、支持体１０の表面から、支持体１０の表面と実質的に垂直な方向に延びている。環状コンタクト１７は、支持体１０の表面の一端に固定され、この表面から表面と実質的に垂直な方向に延び、バネ１６と主要部１５Ａとを囲んでいる。
【００２７】
環状コンタクト１７は、バネ１６と主要部１５Ａに向かう内部表面に、環状コンタクト表面１８を含む。液体分配装置１又は装飾体が動かされたとき、主要部１５Ａは、バネ１６の動作に対して振動し、環状コンタクト表面１８に接触する。
【００２８】
本実施の形態では、電池１５の一の端子は光放出手段１３の一の端子に接続され、電池１５の他の端子は支持体１０に固定されたバネ１６の先端に接続されている。光放出手段１３の残りの端子は、環状コンタクト１７に接続されている。
【００２９】
液体分配装置１及び／又は装飾体５が動かされたとき、主要部１５Ａは環状コンタクト表面１８に接触し、バネ１６の動作に対して振動する。主要部１５Ａは、環状コンタクト表面１８に再度接触され、光放出ダイオードを通じて電流が流れ、各コンタクトにおいて光放出するために光照射ダイオードが駆動される。
【００３０】
装飾体５からの放出光は、例えば、水面下のライトから照射されるスイミングプールまたは噴水の美的装飾効果と同様の美的装飾効果を与える。
【００３１】
結果的に、本実施の形態に係る液体分配装置において、光放出ダイオードは、液体分配装置が使用中であり液体分配装置のアイドル状態でないときに、光を放出する。
【００３２】
本発明の第２の実施の形態において、図３に示されるように、駆動手段１４は、さらにスイッチ２０と、スイッチ２０を通じて光放出手段１３の駆動を制御するためのコントローラ１９とを備える。図示を省略しているが、電池１５もまたコントローラ１９の操作のためのエネルギーを供給してもよい。
【００３３】
第２の実施の形態において、電池１５の端子はバネ１６及び光放出手段１３の端子に接続されている。スイッチ２０は、電池１５の一の端子と光放出手段１３の一の端子との間に配置されている。
【００３４】
バネ１６の先端は、電池１５の一の端子に接続された支持体１０に固定されている。コントローラ１９は、また、環状コンタクト１７に接続されている。
【００３５】
主要部１５Ａが環状コンタクト１７と接触するとき、液体分配装置１の動作は、以下のように、コントローラ１９がコンタクト上に生じる論理状態レベルの変化を検出する。この論理状態レベルの変化とは、すなわち、主要部１５Ａが環状コンタクト１７と接触するとき、電池１５の一の端子のバネ１６の開回路の状態から電池１５の一の端子のバネ１６の閉回路の状態へと変わる論理状態レベルである。コントローラ１９は、スイッチ２０の開閉をするよう構成されている。コントローラは、上記した論理状態レベルに変化が生じたときに閉となり、例えば、液体分配装置の通常の使用における約５〜１０秒間に対応する所定時間後に開となるように設定される。
【００３６】
液体分配装置１又は装飾体５が動かされたとき、主要部１５Ａは環状コンタクト表面１８に接触する。コントローラ１９は、この接触を論理状態レベルの変化を通じて検出し、光放出ダイオードに電流が流れ、所定期間光放出されるようにスイッチ２０をオンにし、光放出が行われる。装飾体５からの光放出は、上記した美的装飾効果を生ずる。
【００３７】
結果的に、本実施の形態に係る液体分配装置において、光放出ダイオードは、液体分配装置が使用中であり、液体分配装置１のアイドル状態ではないときに、又は、例えばハンドバッグを運ぶときでないときに光を放出する。装飾体５の美的装飾効果の寿命は、ユーザが十分に液体を分配し終わるまでその機能を十分に減少することなく持続する。
【００３８】
本発明の第３の実施の形態において、図４に示されるように、第２の実施の形態に係る液体分配装置は、さらに、駆動手段１４の操作を防止するためのエネルギー保存手段２１を備える。
【００３９】
エネルギー保存手段２１は、受動ラベル２３と共に構成され協働するＬＣＲ回路２２を備えている。
【００４０】
受動ラベル２３は、例えば、らせん状に曲げて一枚の紙に接続され所望の周波数応答に設定されたアルミニウムのリボンのアンテナに接続されたＲＣ回路で構成される鉄のリボン又はＲＦタグを含むプラスチックの細長い一片である。受動ラベル２３は、拡散ポンプ４のキャップ４Ａの上又は液体分配装置を保持するパッケージングの上に設けられている。好ましくは、ＬＣＲ回路２２を通じてコントローラ１９により検出された受動ラベル２３に近接して配置されてもよい。
【００４１】
ＬＣＲ回路２２は、ＲＦＩＤタグリーダであってもよく、受動ラベル２３の存在を検出し、受動ラベル２３の存在が検出されたときに、光放出手段１３を駆動するためにコントローラ１９がスイッチ２０を閉じようとするのを防止する。
【００４２】
ＬＣＲ回路２２を通じてコントローラ１９はさらに第１及び第２の動作モードで動作するように設定される。ＬＣＲ回路２２は、液体分配装置１又は装飾体５があらかじめ設定された期間後、例えば、５秒後に動作されたとき、受動ラベル２３が検出されたか否かを決定するように設定される。これは、例えば、５秒後ごとに周期的に繰り返されてもよい。液体分配装置１又は装飾体５が動作され、ＬＣＲ回路２２により受動ラベル２３が検出されないと決定されたときは、コントローラ１９は第２の動作モードで動作するために動作を変更するように設定される。
【００４３】
第２の動作モードにおいて、ＬＣＲ回路２２を通じてコントローラ１９は、液体分配装置１又は装飾体５があらかじめ設定された期間後、例えば、２秒後に動作されたとき、受動ラベル２３が検出されたか否かを決定するように設定される。これは、例えば、２秒後ごとに周期的に繰り返されてもよい。第２の動作モードにおいて、受動ラベル２３があることが分かるならば、ＬＣＲ回路２２は第１の動作モードに戻る動作に変化するように設定されている。
【００４４】
このようにして、エネルギー保存手段２１は、液体分配装置がパッケージングに戻されたすぐ後の光放出手段１３の駆動を防止する。
【００４５】
実際には、駆動手段は、はじめに動作の存在を検出しもし動作があるなら、受動ラベル２３の存在を検出する。
【００４６】
液体分配装置がパッケージに入れられ又は拡散ポンプ４のキャップが載せられているときに、ＬＣＲ回路２２は受動ラベル２３の存在を検出しコントローラ１９が光放出ダイオード１３を駆動させるためにスイッチ２０を閉じるのを防止する。しかし、１度パッケージングが剥がされ又は拡散ポンプ４からキャップが剥がされ、受動ラベル２３がＬＣＲ回路２２で検出されなかったときは、液体分配装置は第２の実施の形態において示されたように、液体分配装置が動かされたときに光放出ダイオード１３が動作される。
【００４７】
液体分配装置が運ばれる間は、光放出手段の光放出を通じて生じる美的装飾効果は、生じない。それ故に、美的装飾効果が香水ユーザに対して持続している時間が最大化され、液体分配装置が元の状態に戻る時間を最小化することができる。
【００４８】
本発明の上記した実施の形態では、装飾体５の直径は１０ｍｍ〜２５ｍｍの範囲であってもよい。
【００４９】
さらに、本発明は、実質上球形状及び装飾体５に使用される他のどのような形状にも限定されるものではなく、電子回路６が装飾体５及び内部チューブ３ａに配置され、液体３から保護されるのであれば、その構成は上記した構成に限定されない。例えば、装飾体は、流体を容器２の外に輸送する内部チューブ３ａに固定されていてもよい。代わりに、装飾体は拡散ポンプ４に接続された１つ以上の光学ファイバーを備えてもよい。
【００５０】
代わりに、上記した本発明の実施の形態において、装飾体５は一個のものであってもよいし、装飾体５のチャンバーの内部に電子回路６が挿入される開口部を構成したものであってもよい。装飾体５の内部は、樹脂材料で充填されていてもよい。樹脂材料は電子回路６を完全に覆い、樹脂材料が固まると、電子回路６は、容器２の中に装飾体５が配置されたときに周囲の液体３から隔離されることになる。
【００５１】
光放出手段１３は、白色光放出ダイオードであるが、任意の可視波長領域の光放出ダイオードを用いてもよい。低電流スレショルドレーザ等の他の固体光源を光放出ダイオードの変わりに用いることができる。
【００５２】
代わりに、上記した本発明の実施の形態において、他の機械的な動作検出器、例えば、ＭＥＭＳの動作センサ又は受動赤外線センサ（ＰＩＲ）の動作検出器を使用してもよい。
【００５３】
この発明の好ましい実施の形態を説明したが、本発明の主旨を逸脱しない範囲において、他の実施の形態を用いてもよいことは当業者に明らかである。したがって、本発明は、実施の形態において開示された発明に限定されるものではなく、特許請求の範囲のみによって限定されるべきである。
【図１】
2013066703.tif 000003
【図２】
2013066703.tif 000004
【図３】
2013066703.tif 000005
【図４】
2013066703.tif 000006
【外国語明細書】
2013066703.tif 000007
2013066703.tif 000008
2013066703.tif 000009
2013066703.tif 000010
2013066703.tif 000011
2013066703.tif 000012
2013066703.tif 000013
2013066703.tif 000014
2013066703.tif 000015
2013066703.tif 000016
2013066703.tif 000017
2013066703.tif 000018
2013066703.tif 000019
【図１】
2013066703.tif 000020
【図２】
2013066703.tif 000021
【図３】
2013066703.tif 000022
【図４】
2013066703.tif 000023